(57)【要約】【課題】この発明は、育成する植物に害虫がよりつくことを防止できる植物の育成方法を提供することを目的とする。【解決手段】育成対象である植物２１を、赤色の波長の光を反射などするモノフィラメント１００を織成して網目状に形成されたネット１０で覆うとともに、植物２１にネット１０を介して太陽光を当てることにより、モノフィラメント１００に反射された赤色の波長の光を植物２１に当てて、生体内のジャスモン酸経路を活性化させて植物２１を育成する植物２１の育成方法。【選択図】図１
2018099093.tif 000002
【特許請求の範囲】
【請求項１】
育成対象である植物を、
基材を織成して防虫可能な網目状に形成されたネットで覆うとともに、
前記ネットを介した太陽光のうちの赤色の波長の光を前記植物に照射して、前記植物の生体内のジャスモン酸経路を活性化させて前記植物を育成する
植物の育成方法。
【請求項２】
前記ネットは、
糸状に形成されるとともに、照射された太陽光が赤色の波長の光として前記植物に照射される前記基材で構成された経糸と、
糸状に形成されるとともに、照射された太陽光が赤色の波長の光として前記植物に照射される前記基材で構成された緯糸とを織成して形成された
請求項１に記載の植物の育成方法。
【請求項３】
前記赤色の波長の光は、波長５８０〜６８０ｎｍの波長領域をピークとする
請求項１又は請求項２に記載の植物の育成方法。
【請求項４】
前記赤色の波長の光は、波長６１０〜６５０ｎｍの波長領域をピークとする
請求項１乃至請求項３のうちのいずれかに記載の植物の育成方法。
【請求項５】
前記ネットで前記育成対象の植物を囲繞した
請求項１乃至請求項４のうちのいずれかに記載の植物の育成方法。
【請求項６】
前記ネットの目合が、０．６〜１．０×０．６〜１．０ｍｍである
請求項１乃至請求項５のうちのいずれかに記載の植物の育成方法。
【発明の詳細な説明】
【技術分野】
【０００１】
この発明は、例えば育成する植物に対して害虫がよりつくことを防止する植物の育成方法に関する。
【背景技術】
【０００２】
植物の育成において、育成の対象植物を害虫から守ることは大切なことである。特にアザミウマなどの害虫が媒介する植物ウィルスに感染すると、その病害による被害は甚大である。このような害虫を駆除するために従来から農薬が用いられてきたが、害虫が薬剤耐性を獲得することがある。
【０００３】
これに対して、例えば特許文献１に開示されているような、透明のモノフィラメントからなる経糸と緯糸とを織成して構成されたネットを植物に被覆するネットを用いた植物の育成方法では、害虫がネット内に侵入することを物理的に防ぐことができるとともに、農薬を使用した場合のような弊害を防止できるとされている。
【０００４】
しかし、害虫の大きさは様々であり、例えば微小な害虫であるアザミウマは０．２ｍｍ以下の目合のネットでなれば防除はできないとされている。すなわち、ネットを用いた植物の育成方法では、ネットの目合よりも小さい害虫がネットの内部に侵入できるため、害虫が植物によりつくといった問題があった。特に太陽光の下で育成する野外などのように、外界との境界を隔離することが困難である場合にはより害虫がよりつきやすい。
【先行技術文献】
【特許文献】
【０００５】
【特許文献１】登録実用新案第３０４６２４７号公報
【発明の概要】
【発明が解決しようとする課題】
【０００６】
この発明は、上述した問題を鑑み、太陽光の下で育成する植物に害虫がよりつくことを防止できる植物の育成方法を提供することを目的とする。
【課題を解決するための手段】
【０００７】
この発明は、育成対象である植物を、基材を織成して防虫可能な網目状に形成されたネットで覆うとともに、前記ネットを介して太陽光のうちの赤色の波長の光を前記植物に照射して、前記植物の生体内のジャスモン酸経路を活性化させて前記植物を育成する植物の育成方法であることを特徴とする。
【０００８】
前記赤色の波長の光とは、赤色のみでなく、黄色や橙色、赤紫色の波長の光などを含む。換言すると、赤色の光とは、約５８０ｎｍ〜８００ｎｍの波長領域の光をさす。  
上述の前記ネットを介した太陽光のうちの赤色の波長の光を前記植物に照射してとは、太陽光が前記ネットを形成する前記基材に反射（乱反射）又は透過することで、太陽光のうちの赤色の波長の光が前記植物に照射されることを指す。なお、前記反射又は透過するとは、赤色の波長領域の光を他の色の波長領域の光と比べて強く反射又は透過することをさす。すなわち、赤色の波長領域のみを反射又は透過する場合や、他の色の波長領域の光の一部を反射又は透過する場合を含む。なお、反射又は透過する基材とは、反射と透過の一方のみをする基材に限定することなく、反射及び透過の双方をする基材であってもよい。
【０００９】
前記植物とは、生体内にジャスモン酸経路を有する植物をさす。例えば、ナス科やアブラナ科、キク科、バラ科、ウリ科など多くの園芸作物があるが、これらに限定されず、ジャスモン酸経路を有する植物であればどの植物であっても構わない。
【００１０】
前記基材は、モノフィラメントや糸などの一本の糸状体で構成された場合や、複数の糸状体を撚り合わせた紐状体で構成された場合、短手方向に所定の幅を有する帯状体で構成された場合を含む。  
前記ネットは、糸状体同士や紐状体同士、帯状体同士のように同一の前記基材を織成した場合や、糸状体と紐状体とを織成した場合などのように異なる種類の前記基材を織成した場合も含む。また、前記基材と他の色と比べて赤色を強く反射又は透過しない基材とで網目状に形成されたネットを含む。
【００１１】
上述のネットで覆うとは、育成対象である植物を全体的に覆う場合や部分的に覆う場合を含む。具体的には、前記ネットで前記植物を取り囲む場合や、前記植物の上方に前記ネットを張った場合、前記植物から見て所定の方角に前記ネットを張った場合などを含む。
【００１２】
上述のネットを介した太陽光とは、前記ネットを介して太陽光を前記植物に直接当てる場合や、ビニール材やガラス材などを透過した太陽光を前記植物を覆う前記ネットを介して前記植物に当たる場合を含む。
【００１３】
この発明により、太陽光の下で育成する植物に害虫がよりつくことを防止できる。  
例えば、太陽光が前記植物を覆う前記ネットに乱反射されることにより、乱反射された赤色の波長の光が植物にあたることとなる。これにより、前記植物の生体内のジャスモン酸経路が活性化され、害虫の忌避物質が前記植物の生体内で生成され、前記植物に害虫がよりつくことを防止できる。
【００１４】
また、太陽光の下で育成するため、すなわち日照時間であれば常に強度の強い赤色の波長の光を当てることができるため、ジャスモン酸経路が常に活性化され、前記植物に害虫がよりつくことを防止できる。
【００１５】
この発明の態様として、前記ネットは、糸状に形成されるとともに、照射された太陽光が赤色の波長の光として前記植物に照射される前記基材で構成された経糸と、糸状に形成されるとともに、照射された太陽光が赤色の波長の光として前記植物に照射される前記基材で構成された緯糸とを織成して形成されてもよい。
【００１６】
換言すると、前記ネットは、糸状に形成されるとともに、赤色の波長の光を反射又は透過する前記基材で構成された経糸と、糸状に形成されるとともに、赤色の波長の光を反射又は透過する前記基材で構成された緯糸とを織成して形成されてもよい。
【００１７】
この発明により、前記ネットを織成す経糸及び緯糸を介して赤色の波長の光を植物に照射できるため、例えば経糸又は緯糸の一方が赤色の波長の光を前記直物に照射する前記基材で構成された場合に比べて、前記ネットが前記植物に照射する赤色の波長の光の量が増加することとなる。したがって、前記ネットを介して赤色の波長の光を前記植物に十分量当てることができ、ジャスモン酸経路がより活性化され害虫の忌避物質をより多く産出できる。これにより、前記植物に害虫がつくことをより防止できる。
【００１８】
またこの発明の態様として、前記赤色の波長の光は、波長５８０〜６８０ｎｍの波長領域をピークとしてもよい。  
さらにまたこの発明の態様として、前記赤色の波長の光は、波長６１０〜６５０ｎｍの波長領域をピークとしてもよい。
【００１９】
前記ピークとは、例えば前記基材に反射又は透過した赤色の波長の光の少なくとも一方のピークであることを含む。すなわち、前記ピークとは、上述の波長領域において前記ネットを介して前記植物に照射される波長をさす。
【００２０】
これらの発明により、生体内のジャスモン酸経路を活性化させる波長６３０ｎｍを中心とした波長の光を前記植物に当てることができるため、ジャスモン酸経路を確実に活性化させて害虫の忌避物質を産出させることができ、前記植物に害虫がよりつくことをより防止できる。
【００２１】
またこの発明の態様として、前記ネットで前記育成対象である植物を囲繞してもよい。  
この発明により、例えば反射又は透過した赤色の波長の光を四方から前記植物に当てることができ、害虫の忌避物質を産出できるとともに、害虫の侵入経路を前記ネットで妨げることができるため、害虫のよりつきと害虫の外部からの侵入とを物理的に防止できる。
【００２２】
また、前記植物を前記ネットで囲繞することにより、太陽の移動に関わらず前記植物に赤色の波長の光を当てることができるため、日照時間であれば時間帯に関わらずジャスモン酸経路を活性化させて害虫の忌避物質を産出させることができる。したがって、日照時間によらず害虫が植物によりつくことを防止できる。
【００２３】
またこの発明の態様として、前記ネットの目合を、０．６〜１．０×０．６〜１．０ｍｍとしてもよい。  
この発明により、目合よりも大きな害虫が前記植物によりつくことを防止できるとともに、通気性のよい環境下で前記植物を育成することができる。
【００２４】
例えば、前記ネットの目合が０．６×０．６ｍｍ未満である場合、目合が細か過ぎるため通気性が悪くなり、ネットの内部において温度が上昇する。また、水遣り時の通水性も悪くなるため、前記植物の育成環境が劣化する。
【００２５】
一方で、前記ネットの目合が１．０×１．０ｍｍよりも大きい場合、通気性や通水性が良くなるが、害虫が容易にネット内に侵入しやすくなるため、前記植物に害虫がつきやすくなる。
【００２６】
また、前記ネットによって反射又は透過する赤色の光の光量が減少するため、赤色の光が十分に前記植物に当たらず、十分な量の忌避物質を産出できるだけのジャスモン酸経路の活性が得られないおそれがある。
【００２７】
これに対して、前記ネットの目合を０．６〜１．０×０．６〜１．０ｍｍ以下とすることで、十分な通気性及び通水性を確保できるとともに、赤色の光を前記植物に当ててジャスモン酸経路を活性化させることができる。したがって、適した育成環境を維持できるとともに、十分な害虫の忌避物質を産出でき、前記植物に害虫がよりつくことを防止できる。
【発明の効果】
【００２８】
この発明によれば、太陽の下で育成する植物に害虫がよりつくことを防止できる植物の育成方法を提供することができる。
【図面の簡単な説明】
【００２９】
【図１】ネットの使用状態を示す斜視図。
【図２】実施例に用いたネットの平面図。
【図３】ネットの反射率を示すグラフ。
【図４】ネットを介した太陽光の進路の説明図。
【図５】対象サンプルごとのＰＲ６の発現量を示すグラフ。
【発明を実施するための形態】
【００３０】
この発明を実施するための一形態を、以下図面を用いて説明する。  
図１は、太陽光の当たる野外において植物２１（苗状態にあるものなど）を植えた畝２２などにネット１０をトンネル被覆した状態を示す。このように、ネット１０を介して太陽光を植物２１に当てる植物２１の育成方法について以下説明する。
【００３１】
植物２１は、ナス科の植物であるトマトである。なお、植物２１はトマトに限らず、ジャスモン酸経路を有するアブラナ科、キク科、バラ科、ウリ科など多くの園芸作物としてもよい。  
また、植物２１は必ずしも畝２２に植える必要はなく、例えばプランターやセルトレイに植えてもよい。また、植物２１を育成する場所は太陽光が当たる場所であれば野外である必要はなく、例えばガラス張りのガラスハウスや、ビニールハウス内であってもよい。
【００３２】
この植物２１をトンネル被覆するネット１０は、図２に示すように、経糸１１と緯糸１２とを平織して網目状に形成されている。  
この経糸１１及び緯糸１２は透明のポリエチレンに赤い着色剤（顔料、染料）を練り込んだ赤色の透明なモノフィラメント１００で構成されている。このモノフィラメント１００は着色剤（顔料、染料）を練り込んでいるため、容易に退色しない。
【００３３】
また、図２に示すように、網目状であるネット１０は、経糸１１と緯糸１２で囲まれる部分に隙間１３を有する。この隙間１３の大きさは、すなわちネット１０の目合はｗ１×ｗ２＝０．８ｍｍ×０．８ｍｍであり、一定以上の大きさの害虫の侵入を防ぐ大きさであるとともに、通気性や通水性を確保可能な大きさに設定される。
【００３４】
なお、この隙間１３の大きさ（目合の大きさ）は３ｍｍ〜５ｍｍ程度の大きさであってもよいが、１ｍｍ×１ｍｍ程度の小さい目合のものであれば、十分な通気性を確保しつつも、より多くの種類の害虫の侵入を防止できるのでよい。また好ましくは、目合を０．６ｍｍ〜１．０ｍｍ×０．６〜１．０ｍｍに設定するのがよい。例えば０．２ｍｍ×０．２ｍｍなど、目合を０．６ｍｍ×０．６ｍｍより小さくすると、アザミウマのような微小な害虫にも防除効果を有するものの、通気性や通水性を確保しにくくなる。また、極端に細い糸を用いずとも、５０％以上の空隙率を得ることが可能となるからである。
【００３５】
このように構成されたネット１０の性質について図３及び図４に基づいて詳述する。  
図３は可視光領域の波長に対するネット１０の反射率を示すグラフであり、図４はネット１０を介して植物２１に当たる太陽光の進路を簡易的に説明するモデル図を示す。
【００３６】
ここで、ネット１０の反射率は、ＳＺ−Σ９０（日本電色工業製）を用いて測定した。  
詳述すると、ネット１０及び白色ネットに対して４００ｎｍ〜７００ｎｍまでの光を２０ｎｍずつ当て、それぞれの波長に対する乱反射した光の強度を測定し反射率を測定した。図３はその測定結果を示す。
【００３７】
以下において、図３に基づいて、ネット１０の反射について詳述する。  
ネット１０は、図３に示すように、波長が約６３０ｎｍの光をピークとする波長５８０ｎｍ〜７００ｎｍの光（赤色の光）、より詳しくは波長６１０〜６５０ｎｍの光を強く拡散反射（乱反射）し、６５０ｎｍよりも長波長側の光は徐々に反射率が低下する。このことから、植物２１をトンネル被覆したネット１０に太陽光が当たると、波長５８０ｎｍ〜７００ｎｍの光は乱反射され、ネット１０の内側に波長５８０ｎｍ〜７００ｎｍの光が入り込む（図５中のλ１）。すなわち、ネット１０でトンネル被覆した植物２１には、ネット１０に乱反射された波長５８０ｎｍ〜７００ｎｍの光（赤色の光）が当たることとなる。
【００３８】
なお、ネット１０は、経糸１１と緯糸１２で囲まれる部分に所望の大きさを有する隙間１３（目合がｗ１×ｗ２＝０．８ｍｍ×０．８ｍｍ）を有するため、太陽光がネット１０に当たることなく内部に入り込む（図５中のλ２）。すなわち、ネット１０は隙間１３を構成することにより、植物の成長に不可欠な太陽光を遮ることなく、また空気も水も容易に通過できる。
【００３９】
このように、植物２１をネット１０でトンネル被覆することで、植物２１には、ネット１０に乱反射された波長５８０〜７００ｎｍをピークとした赤色の光（図５中のλ１）及びネット１０の目合を通過した太陽光（図５中のλ２）が当たることとなる。
【００４０】
次に、このように赤色の光を透過及び反射するネット１０でトンネル被覆するとともに、ネット１０を介した太陽光を当てて育成された植物２１に対する害虫（アザミウマ）のよりつき具合（防除作用）について述べる。  
以下、植物２１に対するアザミウマの防除作用の調査方法について説明する。
【００４１】
＜比較対象植物の育成方法＞
比較対象である植物２１の育成方法について説明する。  
まず、太陽光の当たる温室内で植物２１をセルトレイに播種し発芽させ、発芽した植物２１を２８株無差別に選択し、７株ずつ分けた。
【００４２】
次に、無差別に選択した２８株の植物２１の苗のうち７株を、太陽光の当たる温室内で約一月、５葉展開するまで育苗した（この７株をサンプル１とする）。また、他の７株の苗は、目合が０．８０×０．８０ｍｍであるネット１０で被覆し、サンプル１と同様に、太陽光の当たる温室内で５葉展開するまで約一月育苗した（この７株をサンプル２とする）。
【００４３】
さらにまた、他の７株の苗は、目合が０．８０×０．８０ｍｍで白色透明のモノフィラメントを経糸及び緯糸とした白色ネットで被覆し、サンプル１及びサンプル２と同様に、太陽光の当たる温室内で５葉展開するまで約一月育苗した（この７株をサンプル３とする）。すなわち、サンプル３に対応する植物２１の苗は、白色ネットを介した太陽光を当てて育苗した。  
なお、上述の白色透明のモノフィラメントは特定の波長を強く透過及び反射させることはないフィラメントであるため、このネットでトンネル被覆した植物２１には特定波長の光が強く当たることはない。（図３参照）
【００４４】
そして残った７株の苗に対しては、１００ｐｐｍに薄めたジャスモン酸誘導体（ＰＤＪ）を定期的に散布して、他のサンプルと同様に、太陽光の当たる温室内で５葉展開するまで約一ヶ月育苗した（この７株をサンプル４とする）。
【００４５】
その後、５葉展開した各サンプルに対応する植物２１を野外に設けた株間×畝間＝３５×９０ｃｍの畝２２に７株ずつ一条植えで定植した。すなわち、サンプル１〜４に対応する植物２１を７株ずつ定植した畝２２が、４区並んで設けられている。なお、第１区にはサンプル１を、第２区にはサンプル２を、第３区にはサンプル３を、第４区にはサンプル４を定植した。
【００４６】
このようにそれぞれ異なる育苗条件で育てられた７株の植物２１は、それぞれ第１区〜第４区に定植され、太陽光の下で１３日間育成された。
【００４７】
＜害虫数の計数方法＞
次に、このように定植された植物２１に寄りついた害虫の頭数の計数方法について説明する。  
植物２１によりついた害虫（アザミウマ）の頭数は、各区の中央５株に寄生している害虫の頭数を３反復で数え、これらの平均値を算出することで、１区ごとの害虫の頭数とした。なお、定植した日から１３日後に各区の害虫の頭数を計数した。
【００４８】
＜調査結果＞
上記計数方法により得られた各区における定植した日から１３日後の害虫（アザミウマ）の頭数の計数結果を表１に示す。
【００４９】
【表１】
2018099093.tif 000003
【００５０】
表１に示すように、定植してから１３日後における各区のアザミウマの平均頭数は、第１区で１５４．０±３５．２匹、第２区で６４．０±３２．９匹、第３区で１７４．３±２７．０匹、第４区で２６．３±１７．２匹であった。
【００５１】
第１区と第２区とを比較したところ、１３日後の第１区でのアザミウマの平均頭数が１５４．０±３５．２匹であるのに対しては、第２区でのアザミウマの平均頭数は６４．０±３２．９匹であり、温室内での育苗時にネット１０で被覆した植物２１を定植した第２区では、育苗時にネット１０で被覆しなかった第１区と比べて明らかにアザミウマの頭数が減少していた。
【００５２】
このことから、ネット１０を用いた植物２１を育成する育成方法では、ネット１０で植物２１を被覆しないで育成した場合と比べて、アザミウマに対する効果的な防除作用を有することが分かる。
【００５３】
これに対して、育苗時に白色ネットで被覆した植物２１を定植した第３区でのアザミウマの頭数は、１３日後の第２区でのアザミウマの頭数と比べて、著しく多かった（１３日後１７４．３±２７．０匹）。すなわち、育苗時において白色ネットで植物２１を被覆することは、アザミウマに対する効果的な防除作用を有さない。
【００５４】
一方で、育苗時にＰＤＪを定期的に散布した植物２１を定植した第４区では、アザミウマの頭数が他の区に比べて著しく少ないことが分かる（１３日後２６．３±１７．２匹）。すなわち、ＰＤＪにはアザミウマの忌避効果を有することが分かる。  
なお、植物は食害や傷害により、ジャスモン酸経路が活性化され、害虫の忌避物質を産出することが知られており、ＰＤＪはこれと同様の効果を有すると考えられる。
【００５５】
以上より、ネット１０で被覆されるとともに、太陽光の下で生育された植物２１は、ネットを用いずに太陽光の下で生育された、又は白色ネットで被覆されるとともに太陽光の下で生育された植物２１と比べて、害虫（アザミウマ）に対する効果的な防除効果を有していた。  
なお、育成されたサンプル１〜４の植物２１は見た目に大きな差がないことから、ネット１０で覆うことによる植物２１の成長への影響ない。
【００５６】
次に、ネット１０で覆うとともに、ネット１０を介して太陽光を当てた植物２１の生体内でのジャスモン酸経路の遺伝子発現量について記載する。  
以下、ジャスモン酸経路の発現量を測定するための試料の処理方法及び発現量の測定方法について記載する。
【００５７】
＜対象植物の育成方法＞
対象植物である植物２１を３株、午前９時から１０時間ほど室温にした暗室で育成する。  
次に、この３株のうちの２株を午後７時に昼間に太陽光のあたる場所に出し、そのうちの１株をネット１０で被覆し、２４時間放置する（以下、サンプル５とする。）。
【００５８】
同様に、太陽光の当たる場所に出された他の１株を囲繞するように白色ネットで被覆し、２４時間放置する（以下、サンプル６とする。）。  
なお、太陽光の当たる場所に出されなかった１株（以下、サンプル７とする。）は、引き続き暗室で２４時間生育する。
【００５９】
＜遺伝子発現量の測定方法＞
このように２４時間育成させたサンプル５〜７の生長点付近の上位２葉を回収し、細胞内のＲＮＡを回収する。
【００６０】
回収されたＲＮＡに対して、生体内でのジャスモン酸の生成に関わるPathogenesis-related
protein 6（ＰＲ６）に対応するプライマーを作製し、当該プライマーを用いてリアルタイムＰＣＲ法にて、サンプル５〜７で発現されたＰＲ６のｍＲＮＡの発現量を測定する。なお、リアルタイムＰＣＲは遺伝子解析の分野においては、当業者であるならば周知の技術であるため詳細は省く。
【００６１】
なお、ＰＲ６はジャスモン酸経路発現の指標タンパク質であるため、ＰＲ６に対応するｍＲＮＡの発現量を調べることでジャスモン酸経路に係る遺伝子群の発現量を調べることができる。
【００６２】
上述の方法で測定されたサンプル５〜７のｍＲＮＡの発現量について、図５に基づいて説明する。  
ここで、図５は生体内において発現するアクチンに対応するｍＲＮＡの発現量を基準（アクチンの遺伝子発現量を１とする）とした場合における、サンプル５〜７のＰＲ６に対応するｍＲＮＡの相対発現量を示す。
【００６３】
図５に示すように、ネット１０を用いて育成したサンプル５は、サンプル６及びサンプル７と比べ、ＰＲ６遺伝子の発現量が多かった。すなわち、ネット１０で覆った植物２１であるサンプル５は、サンプル６及びサンプル７に比べてジャスモン酸経路が活性化されていた。
【００６４】
また、サンプル５とサンプル７との比較から、太陽光の下で育成した植物２１は太陽光の当たらない状況下で育成した植物２１と比べてＰＲ６の発現量が増加した。さらにサンプル５とサンプル６との比較から、同じようにネットで覆われるとともに、太陽光の下で育成された植物２１であっても、赤色の光を透過及び反射させるネット１０を用いた方がより多くのＰＲ６が発現しており、ジャスモン酸経路がより活性化されていた。
【００６５】
ここでネット１０は、図３に示すように、波長６３０ｎｍを中心とした波長領域の光が乱反射されるため、ネット１０で被覆された植物２１には乱反射された波長６３０ｎｍを中心とした赤色の光が当たることとなる。
【００６６】
このことからネット１０で覆った植物２１には波長６３０ｎｍをピークとした赤色の光が植物２１に当たることで、ジャスモン酸経路が活性化され、植物が食害や傷害を受けた場合と同様に、ジャスモン酸経路の活性化による害虫の忌避物質が大量に産出され、植物２１に害虫がよりつくことを防止できる。
【００６７】
このように育成対象である植物２１を、赤色の光を透過及び反射するモノフィラメント１００を織成して網目状に形成されたネット１０で覆うとともに、ネット１０を介した太陽光のうちの赤色の波長の光を植物２１に照射して、植物２１の生体内のジャスモン酸経路を活性化させる植物の育成方法により、植物２１に害虫がよりつくことを防止できる。
【００６８】
詳述すると、太陽光が植物２１を覆うネット１０を介することにより、ネット１０に反射された赤色の波長の光が植物２１に当たるため、生体内のジャスモン酸経路が活性化され、植物２１の生体内で害虫の忌避物質が生成される。これにより、植物２１に害虫がよりつくことを防止できる。
【００６９】
また、この植物の育成方法では植物２１の育成に太陽光を用いる、すなわち日照時間中では常にネット１０の目合を抜けた太陽光と強度の強い赤色の光とを植物２１に当てることができるため、植物の成長に欠かせない光合成などを妨げることなく、ジャスモン酸経路が常に活性化できる。すなわち、植物２１に害虫がよりつくことを防止しながら、植物２１を生育させることができる。
【００７０】
また、ネット１０を、糸状に形成されるとともに、照射された太陽光が赤色の波長の光として植物２１に照射することができるモノフィラメント１００で構成された経糸１１と、糸状に形成されるとともに、照射された太陽光が赤色の波長の光として植物２１に照射することができるモノフィラメント１００で構成された緯糸１２とを織成なした構成とすることにより、赤色の波長の光をより多く植物２１に照射することができる。
【００７１】
具体的には、経糸１１及び緯糸１２の双方をモノフィラメント１００で構成することにより、経糸１１又は緯糸１２の一方のみをモノフィラメント１００で構成した場合に比べ、ネット１０によって反射される赤色の光の量が多くなる。このため、植物２１に当たる赤色の光の量が増え、ジャスモン酸経路がより活性化されることとなり、害虫の忌避物質がより多く産出される。したがって、植物２１に害虫がよりつくことをより防止できる。
【００７２】
また、例えば曇りの日のように太陽光の光量が少ない場合であっても、経糸１１及び緯糸１２により太陽光が透過及び反射されるため、植物２１に対して一定量の赤色の波長の光を当てることができ、害虫がよりつくことをより防止できる。
【００７３】
また、上述のネットを介して直物に照射される赤色の波長の光は、波長５８０〜６８０ｎｍの波長領域を、より好ましくは、波長６１０〜６５０ｎｍの波長領域をピークとすることにより、生体内のジャスモン酸経路を活性化させる波長約６３０ｎｍの波長領域を中心とした光を植物２１に当てることができる。これにより、確実に生体内のジャスモン酸経路が活性化され、忌避物質を産出させることができ、植物２１に害虫がよりつくことをより確実に防止できる。
【００７４】
また、ネット１０で育成対象である植物２１を囲繞することにより、透過及び反射した赤色の光を四方から植物２１に当てることができ、確実に忌避物質を産出できるとともに、害虫の侵入経路をネット１０で妨げることができるため、害虫の外部からの侵入を物理的に防止できる。
【００７５】
さらにまた、植物２１をネット１０で囲繞することにより、太陽の移動に関わらず植物２１に赤色の光を当てることができる。すなわち、日照時間であれば時間帯に関わらずジャスモン酸経路を活性化させて忌避物質を産出させることができる。したがって、日照時間によらず害虫が植物２１によりつくことを防止できる。
【００７６】
さらにまた、ネット１０の目合を、０．６×０．６ｍｍ以上１．０×１．０ｍｍ以下とすることにより、目合よりも小さい害虫が植物２１によりつくことを防止できるとともに、通気性のよい環境下で植物２１を育成することができる。
【００７７】
詳述すると、ネット１０の目合が０．６×０．６ｍｍ未満である場合、目合が細か過ぎるため通気性が悪くなり、ネット１０の内部において温度が上昇することとなる。また、水遣り時の通水性も悪くなるため、植物２１の育成環境が劣化することとなる。
【００７８】
一方で、ネット１０の目合が１．０×１．０ｍｍよりも大きい場合、容易に害虫がネット１０内に侵入することができるため、植物２１に害虫がつきやすくなる。
【００７９】
また、ネット１０に透過及び反射する太陽光の割合が減少するため、赤色の光が十分に植物２１に当たらず、十分な量の忌避物質を産出できるだけのジャスモン酸経路の活性が得られないおそれがある。
【００８０】
これに対して、ネット１０の目合を０．６〜１．０×０．６ｍｍ〜１．０ｍｍ以下とすることで、十分な通気性を確保できるとともに、赤色の光を植物２１に当ててジャスモン酸経路を活性化できる。したがって、適した育成環境を維持できるとともに、十分な忌避物質を産出させることができ、植物２１に害虫がよりつくことを防止できる。
【００８１】
本発明の構成と、前述の実施態様との対応において、
植物は、植物２１に対応し、
基材は、モノフィラメント１００に対応し、
ネットは、ネット１０に対応し、
経糸は、経糸１１に対応し、
緯糸は、緯糸１２に対応するも、上記実施形態に限定するものではない。
【００８２】
例えば、上記実施形態では、ネット１０は、赤色の波長の光を反射するモノフィラメント１００で構成されているが、本発明は赤色の波長の光（好ましくは波長５８０〜６８０ｎｍ、より好ましくは波長６１０〜６５０ｎｍ）を植物に当てることにより、ジャスモン酸経路を活性化させる発明であり、ネット１０で反射される光に限定されるものではない。
【００８３】
すなわち、赤色の波長の光を透過させる例えばフィルムのようなものでネット１０を構成してもよく、またモノフィラメント１００を赤色の波長の光を透過及び反射する素材で構成してもよく、さらにはモノフィラメント１００とフィルムなどの透過可能な素材とを組み合わせてネット１０を織成してもよい。換言すると、ネット１０を介した太陽光から得られた赤色の波長の光を植物に当てることができれば、ネット１０を織成す基材の材質に限定はされない。
【００８４】
また、経糸１１及び緯糸１２を構成するモノフィラメント１００は、糸などの一本の糸状体や、複数の糸状体を撚り合わせた紐状体、短手方向に所定の幅を有する帯状体で構成してもよい。
【００８５】
またネット１０は、糸状体同士であるモノフィラメント１００を織成して構成しているが、糸状体と紐状体などのように異なる基材を織成して構成してもよい。また、モノフィラメント１００と他の色と比べて赤色を強く透過及び反射しない基材とで網目状に形成されたネットとしてもよい。
【００８６】
また、ネット１０で覆うとは、育成対象である植物２１をトラック被覆のように全体的に覆うのみでなく、例えば植物２１の上方にネット１０を張ったり、植物２１から見て所定の方向にネット１０を張ったりしてもよい。
【符号の説明】
【００８７】
１０…ネット
１１…経糸
１２…緯糸
２１…植物
１００…基材
【図１】
2018099093.tif 000004
【図２】
2018099093.tif 000005
【図３】
2018099093.tif 000006
【図４】
2018099093.tif 000007
【図５】
2018099093.tif 000008